(57)【特許請求の範囲】
【請求項１】
移動無線ネットワークにおいてロケーション特定するための方法であって、該移動無線ネットワークが第１のロケーションにある第１の移動デバイス（１００）と第２のロケーションにある第２の移動デバイス（１０１）と第３のロケーションにある第３の移動デバイス（１０２）とを含む方法において、
第１のステップと、第２のステップと、第３のステップと、第４のステップと、第５のステップと、第６のステップと、第７のステップと、第８のステップと、第９のステップとを含み、
前記第１のステップにおいて、前記第１の移動デバイス（１００）は前記第２の移動デバイス（１０１）にパイロット信号（１０３）を送信し、
前記第２のステップにおいて、前記第２の移動デバイス（１０１）は前記パイロット信号（１０３）の信号強度を測定し、
前記第３のステップにおいて、前記第２の移動デバイス（１０１）は前記パイロット信号（１０３）の前記信号強度に関する情報（１０４）を前記第１の移動デバイス（１００）に送信し、
前記第４のステップにおいて、前記第１の移動デバイス（１００）は、前記信号強度に関する前記情報（１０４）に依拠して前記第１のロケーションに対する前記第２のロケーションを求め、
前記第５のステップにおいて、前記第２の移動デバイス（１０１）は更なるパイロット信号（１０５）を前記第３の移動デバイス（１０２）に送信し、
前記第６のステップにおいて、前記第３の移動デバイス（１０２）は前記更なるパイロット信号（１０５）の更なる信号強度を測定し、
前記第７のステップにおいて、前記第３の移動デバイス（１０２）は、前記更なる信号強度に関する更なる情報（１０６）を前記第２の移動デバイス（１０１）に送信し、
前記第８のステップにおいて、前記第２の移動デバイス（１０１）は、前記更なる信号強度に関する前記更なる情報（１０６）に依拠して前記第２のロケーションに対する前記第３のロケーションを求め、
前記第９のステップにおいて、前記第２の移動デバイス（１０１）は前記第３のロケーションに関する情報を前記第１の移動デバイス（１００）に送信し、
前記第１の移動デバイス（１００）は、前記第３の移動デバイス（１０２）に対応する前記第３のロケーションを受信し、
前記第３の移動デバイス（１０２）に対する前記パイロット信号（１０３）を減衰する又はブロックする壁は、前記第３の移動デバイス（１０２）に対応する前記第３のロケーションと、前記第１の移動デバイス（１００）に対応する前記第１のロケーションとの間に配置されており、
前記パイロット信号（１０３）及び／又は前記信号強度に関連する前記情報（１０４）は、Ｂｌｕｅｔｏｏｔｈ接続、ＮＦＣ接続、ＲＦＩＤ接続、ＷＩＭＡＸ接続、又はＷＬＡＮ接続を用いて送信され、
ハンドオーバ手順の場合、前記第１の移動デバイス（１００）の検出する方向は、前記第１の移動デバイス（１００）内に配置された内部コンパス又はジャイロセンサ若しくは加速度センサによって求められることを特徴とする方法。
【請求項２】
前記第１の移動デバイス（１００）は、前記第２のロケーションを前記第２の移動デバイス（１０１）に送信し、前記第２のロケーションは前記第１の移動デバイス及び／又は前記第２の移動デバイス内に記憶されることを特徴とする請求項１に記載の方法。
【請求項３】
前記パイロット信号（１０４）及び／又は前記信号強度に関する前記情報（１０４）は暗号化されることを特徴とする請求項１又は２に記載の方法。
【請求項４】
前記第１の移動デバイス（１００）は、更なる第２の移動デバイスの更なる第２のロケーションを求めることを特徴とする請求項１〜３のいずれか１項に記載の方法。
【請求項５】
前記第１の移動デバイス（１００）は、衛星ナビゲーションシステムの情報を受信することを特徴とする請求項１〜４のいずれか１項に記載の方法。
【請求項６】
前記第２の移動デバイス（１０１）はロケーションに基づくサービスと接続されることを特徴とする請求項１〜５のいずれか１項に記載の方法。
【請求項７】
前記第２の移動デバイス（１０１）は、音響信号及び／又は光信号を用いて前記パイロット信号に応答することを特徴とする請求項１〜６のいずれか１項に記載の方法。
【請求項８】
移動デバイス（１００）であって、
請求項１〜７のいずれか１項に記載の方法に従って移動無線ネットワークにおいてロケーション特定するための移動デバイス。
【請求項９】
移動無線ネットワークにおいてロケーション特定するためのシステムであって、第１のロケーションにある第１の移動デバイス（１００）と、第２のロケーションにある第２の移動デバイス（１０１）とを備えるシステムにおいて、
前記第１の移動デバイス（１００）は前記第２の移動デバイス（１０１）にパイロット信号（１０３）を送信し、前記第２の移動デバイス（１０１）は前記パイロット信号（１０３）の信号強度を測定し、前記第２の移動デバイス（１０１）は前記パイロット信号（１０３）の前記信号強度に関する情報（１０４）を前記第１の移動デバイス（１００）に送信し、前記第１の移動デバイス（１００）は、前記信号強度に関する前記情報（１０４）に依拠して前記第１のロケーションに対する前記第２のロケーションを求め、前記第２の移動デバイス（１０１）は第３の移動デバイス（１０２）の第３のロケーションを求め、前記第２の移動デバイス（１０１）は更なるパイロット信号（１０５）を前記第３の移動デバイス（１０２）に送信し、前記第３の移動デバイス（１０２）は前記更なるパイロット信号（１０５）の更なる信号強度を測定し、前記第３の移動デバイス（１０２）は、前記更なる信号強度に関する更なる情報（１０６）を前記第２の移動デバイス（１０１）に送信し、前記第２の移動デバイス（１０１）は、前記更なる信号強度に関する前記更なる情報（１０６）に依拠して前記第２のロケーションに対する前記第３のロケーションを求め、前記第２の移動デバイス（１０１）は前記第３の移動デバイス（１０２）の前記第３のロケーションに関する情報を前記第１の移動デバイス（１００）に送信し、
前記第１の移動デバイス（１００）は、前記第３の移動デバイス（１０２）に対応する前記第３のロケーションを受信し、
前記第３の移動デバイス（１０２）に対する前記パイロット信号（１０３）を減衰する又はブロックする壁は、前記第３の移動デバイス（１０２）に対応する前記第３のロケーションと、前記第１の移動デバイス（１００）に対応する前記第１のロケーションとの間に配置されており、
前記パイロット信号（１０３）及び／又は前記信号強度に関連する前記情報（１０４）は、Ｂｌｕｅｔｏｏｔｈ接続、ＮＦＣ接続、ＲＦＩＤ接続、ＷＩＭＡＸ接続、又はＷＬＡＮ接続を用いて送信され、
ハンドオーバ手順の場合、前記第１の移動デバイス（１００）の検出する方向は、前記第１の移動デバイス（１００）内に配置された内部コンパス又はジャイロセンサ若しくは加速度センサによって求められることを特徴とするシステム。
【請求項１０】
コンピュータ可読プログラムコードを含むプログラムであって、前記コンピュータ可読プログラムコードは、コンピュータ上で実行されると、該コンピュータに請求項１〜７のいずれか１項に記載の手順を実行させるプログラム。
【発明の詳細な説明】
【技術分野】
【０００１】
本発明は、移動電気通信デバイスをロケーション特定するための方法、クライアント、システム、プログラム、及びコンピュータプログラム製品に関する。
【背景技術】
【０００２】
携帯電話サービスプロバイダ等の無線通信事業者は、現在のところ、無線デバイスのロケーションを求めることができる。例えば、携帯電話ユーザは、近傍の送受信機セルによって受信されている信号強度を求め、そのユーザの位置を三角測量することによって追跡することができる。移動デバイスの位置を求めるのにＧＰＳも用いられる。一方、人物が建物内にいるとき、これはＧＰＳ及びセルラカバレッジに影響を及ぼし、ユーザの位置特定のずれにつながる可能性がある。より高い精度まで無線デバイスを追跡する方法が必要とされている。
【０００３】
従来技術は、特許文献１から、移動デバイスのロケーションを求めるための方法、装置、及び電子デバイスが既知である。受信機は、移動デバイスにより、無線ローカルエリアネットワークの少なくとも３つのアクセスポイントからアクセス信号を非同期で受信する。プロセッサは、アクセスポイントごとにアクセス信号のアクセス信号強度を測定する。送信機は、アクセス信号強度をロケーションサーバに送信して、移動デバイスのロケーションを求める。従来技術は、特許文献２から、無線信号の強度を測定することによって送信デバイスからの移動デバイスの距離を求める移動クライアントデバイスが既知である。しかしながら、例えば移動デバイス間の壁に起因して、移動クライアントデバイスが移動デバイスから適切な無線信号を受信しなかった当該移動デバイスを、この移動クライアントデバイスがロケーション特定することは不可能である。
【０００４】
従来技術の欠点は、アクセス信号を送信する固定アクセスポイントが必要であること、及び／又は移動デバイス間の適切な無線信号の送信が可能でなくてはならないことである。したがって、その実現は比較的費用がかかり、移動デバイスがロケーション特定されるエリアに関して柔軟性がない。
【０００５】
これは以下に説明される本発明によって解決される従来技術の１つの欠点にすぎない。
【先行技術文献】
【特許文献】
【０００６】
【特許文献１】国際公開第２００８／０８２７８３号
【特許文献２】米国特許出願公開第２００４／０２０３８７２号
【発明の概要】
【発明が解決しようとする課題】
【０００７】
本発明の目的は、移動無線ネットワークにおいてロケーション特定するための方法、移動デバイス、システム、プログラム及びコンピュータプログラム製品であって、該移動無線ネットワークは、第１のロケーションにある第１の移動デバイスと、第２のロケーションにある第２の移動デバイスとを備え、該ロケーション特定するための方法は、第１のステップと、第２のステップと、第３のステップと、第４のステップと、第５のステップと、第６のステップと、第７のステップと、第８のステップと、第９のステップとを含み、前記第１のステップにおいて、前記第１の移動デバイスは前記第２の移動デバイスにパイロット信号を送信し、前記第２のステップにおいて、前記第２の移動デバイスは前記パイロット信号の信号強度を測定し、前記第３のステップにおいて、前記第２の移動デバイスは前記パイロット信号の前記信号強度に関する情報を前記第１の移動デバイスに送信し、前記第４のステップにおいて、前記第１の移動デバイスは、前記信号強度に関する前記情報に依拠して前記第１のロケーションに対する前記第２のロケーションを求め、前記第５のステップにおいて、前記第２の移動デバイスは更なるパイロット信号を前記第３の移動デバイスに送信し、前記第６のステップにおいて、前記第３の移動デバイスは前記更なるパイロット信号の更なる信号強度を測定し、前記第７のステップにおいて、前記第３の移動デバイスは、前記更なる信号強度に関する更なる情報を前記第２の移動デバイスに送信し、前記第８のステップにおいて、前記第２の移動デバイスは、前記更なる信号強度に関する前記更なる情報に依拠して前記第２のロケーションに対する前記第３のロケーションを求め、前記第９のステップにおいて、前記第２の移動デバイスは前記第３のロケーションに関する情報を前記第１の移動デバイスに送信する、方法、移動デバイス、システム、プログラム及びコンピュータプログラム製品を提供することである。
【課題を解決するための手段】
【０００８】
したがって、有利には、ＧＰＳ情報を有することなく、及び／又はインフラストラクチャネットワークの固定アクセスポイントと接続することなく、移動デバイスを比較的正確にロケーション特定することが可能である。移動デバイスのロケーション特定は、屋内及び屋外で可能であり、移動デバイスが建物の異なる部屋及び／又は階にある場合であっても可能である。ロケーション特定は、有利には、移動デバイスが互いに対して移動している場合であっても可能である。したがって、柔軟でコスト効率のよいロケーション特定方法が提供されている。有利には、例えば、第１の移動デバイス、第２の移動デバイス、及び第３の移動デバイス間のアドホック無線ネットワークを構築することが可能である。移動デバイスをロケーション特定するための効率的な方法を提供するために、インフラストラクチャネットワークに接続及び／又はアクセスする必要はない。第２の（第３の）移動デバイスにおいて受信した（更なる）パイロット信号の（更なる）信号強度を測定することによって、有利には、第１の（第２の）移動デバイスが、（更なる）信号強度に関する（更なる）情報が送信された信号強度を知る必要も認識する必要もない。ロケーションを求めるのにパイロット信号の信号強度を用いることによって、固定基準点も固定送信機も必要なくなる。第１の移動デバイスのみでなく、第２の移動デバイスも（更なる）パイロット信号を送信することができ、（更なる）信号強度に関する（更なる）情報、すなわち報告された信号強度の（更なる）情報に基づいてロケーションを求めることができるので、第１の移動デバイスのパイロット信号を受信しない移動デバイスをロケーション特定することが可能である。第１の移動デバイスから送信されたパイロット信号が、例えば第１の移動デバイスと第３の移動デバイスとの間の壁に起因して第３の移動デバイスに到達しない場合、第２の移動デバイスは、第３の移動デバイスに更なるパイロット信号を送信し、報告された信号強度に基づいて第３のロケーションを求めることによって、第３の移動デバイスをロケーション特定することが可能である。第１の移動デバイスが第３の移動デバイスをロケーション特定することができる場合、本方法は有利には、第３のロケーションの２つの求め方（一方は第１の移動デバイスによるものであり、一方は第２の移動デバイスによるものである）を提供し、これによって、第３のロケーションをロケーション特定する精度が改善されることになる。第３のロケーションに関する更なる情報を第１の移動デバイスに送信することによって、直接的なロケーション特定が第１の移動デバイスに可能でなくても、第１の移動デバイスが第３の移動デバイスのロケーションを認識することが可能である。したがって、本方法は、移動デバイスが、例えば建物内の異なる部屋にある場合であっても、移動デバイスをロケーション特定する（正：locating）ための効率的な方法を提供する。パイロット信号及び／又は信号強度に関する情報は、例えば常時（permanently）、又は要求後に送信される。パイロット信号及び／又は信号強度に関する情報を要求時にのみ送信することによって、現時点で移動デバイスをロケーション特定する必要がない場合に��力を節減することができる。
【０００９】
以下において本発明の更なる実施の形態を説明する。
【００１０】
しかし、当業者であれば、本発明のより広い趣旨から逸脱することなく、本発明の他の変更形態又は変形形態が可能であることを理解するであろう。したがって、そのような変更形態は、本発明の趣旨及び範囲内に入り、このため本明細書において説明又は例示されるような本発明の一部を形成するものとみなされる。したがって、例示的な説明は、限定的な意味ではなく説明的な意味であるとみなされるべきである。
【００１１】
本発明によれば、パイロット信号及び／又は信号強度に関する情報は、Ｂｌｕｅｔｏｏｔｈ（登録商標）接続、ＮＦＣ（Near Field Communication、近距離無線通信）接続、ＲＦＩＤ（Radio Frequency Identification、無線周波数識別）接続、ＷＩＭＡＸ（Worldwide Interoperability for Microwave Access、マイクロ波アクセス世界的相互運用性）接続、又はＷＬＡＮ（Wireless Local Area Network、無線ローカルエリアネットワーク）接続を用いて送信されることが好ましい。本発明との関連で、Ｂｌｕｅｔｏｏｔｈ（登録商標）は２．４ＧＨｚ  ＩＳＭ帯域の無線プロトコルを用いる。
【００１２】
したがって、本発明によれば、有利には、本発明を実現する比較的効率的な方法を提供することが可能である。
【００１３】
本発明によれば、第２のロケーションは第１の移動デバイスに記憶されることが好ましい。
【００１４】
したがって、本発明によれば、有利には、例えば、第２の移動デバイスの求められたロケーションが記憶される第１の移動デバイス内のデータベースを構築することが可能である。
【００１５】
本発明によれば、第１の移動デバイスは第２のロケーションを第２の移動デバイスに送信することが好ましく、第２のロケーションは第２の移動デバイスに記憶されることが好ましい。
【００１６】
したがって、本発明によれば、有利には、第２の移動デバイスにロケーション情報を提供することが可能である。
【００１７】
本発明によれば、パイロット信号及び／又は信号強度に関する情報は暗号化されることが好ましい。
【００１８】
したがって、本発明によれば、有利には、認可されたデバイス（復号鍵を有するデバイス）のみを、例えばプライベートネットワークに含めることができることを確実にすることが可能である。
【００１９】
本発明によれば、第１の移動デバイスは更なる第２の移動デバイスの更なる第２のロケーションを求めることが好ましい。
【００２０】
したがって、本発明によれば、有利には、例えば病院内のネットワークを構築するために、複数の第２の移動デバイスをロケーション特定することが可能である。
【００２１】
本発明によれば、第１の移動デバイスは、衛星ナビゲーションシステムの情報、例えばＧＰＳ信号を受信することが好ましい。この情報は無線接続又は有線接続によって提供されている。
【００２２】
したがって、本発明によれば、有利には、第２の移動デバイスの相対位置のみでなく絶対位置も求めることが可能である。
【００２３】
本発明によれば、第２の移動デバイスはロケーションに基づくサービスと接続されることが好ましい。ロケーションに基づくサービス（ＬＢＳ）は、例えばショッピングモール内の専門店のロケーションに関する情報を提供する。
【００２４】
したがって、本発明によれば、有利には、第２の移動デバイスに、その第２の移動デバイスの求められたロケーションの近くのロケーションに関する情報を提供することが可能である。
【００２５】
本発明によれば、第２の移動デバイスは、音響信号及び／又は光信号を用いてパイロット信号に応答することが好ましい。
【００２６】
したがって、本発明によれば、有利には、例えば第２の移動デバイスのユーザが第２の移動デバイスを探す場合に、「探索及び発見」機能（"search and find" possibility）を提供することが可能である。
【００２７】
本発明によれば、例えばハンドオーバ手順のより良好な性能のために、移動デバイスのユーザが見ている方向が、移動デバイス内に配置された内部コンパス又はジャイロセンサ若しくは加速度センサによって求められることが好ましい。
【００２８】
本発明は更に、上記の実施の形態のうちの任意のものに従って、移動無線ネットワークにおいてロケーション特定するための移動デバイスに関する。
【００２９】
したがって、本発明によれば、有利には、本発明の利点を提供することが可能である。移動デバイスは、例えば、Ｂｌｕｅｔｏｏｔｈ（登録商標）信号、ＮＦＣ信号、ＲＦＩＤ信号、ＷＩＭＡＸ信号、又はＷＬＡＮ信号の送信機及び受信機を備える。移動デバイスは、例えば、測定された信号強度に依拠してロケーションを求めるためのコンピュータユニットを更に備える。
【００３０】
本発明は更に、移動無線ネットワークにおいてロケーション特定するためのシステムであって、第１のロケーションにある第１の移動デバイスと、第２のロケーションにある第２の移動デバイスとを備え、前記第１の移動デバイスは前記第２の移動デバイスにパイロット信号を送信し、前記第２の移動デバイスは前記パイロット信号の信号強度を測定し、前記第２の移動デバイスは前記パイロット信号の前記信号強度に関する情報を前記第１の移動デバイスに送信し、前記第１の移動デバイスは、前記信号強度に関する前記情報に依拠して前記第１のロケーションに対する前記第２のロケーションを求め、前記第２の移動デバイスは第３の移動デバイスの第３のロケーションを求め、前記第２の移動デバイスは更なるパイロット信号を前記第３の移動デバイスに送信し、前記第３の移動デバイスは前記更なるパイロット信号の更なる信号強度を測定し、前記第３の移動デバイスは、前記更なる信号強度に関する更なる情報を前記第２の移動デバイスに送信し、前記第２の移動デバイスは、前記更なる信号強度に関する前記更なる情報に依拠して前記第２のロケーションに対する前記第３のロケーションを求め、前記第２の移動デバイスは前記第３の移動デバイスの前記第３のロケーションを前記第１の移動デバイスに送信する、システムに関する。
【００３１】
本発明は更に、コンピュータ可読プログラムコードを含むプログラムであって、コンピュータ上で実行されると、該コンピュータに上述の実施の形態のうちのいずれかによる手順を実行させるプログラムに関する。本発明は更に、記憶媒体に記憶されたコンピュータプログラムを含むコンピュータプログラム製品であって、前記コンピュータプログラムは、コンピュータ上で実行されると、該コンピュータに上述の実施の形態のうちの１つによる手順を実行させるプログラムコードを含むコンピュータプログラム製品に関する。
【図面の簡単な説明】
【００３２】
【図１】本発明の一実施形態を概略的に示す図である。
【図２】本発明の更なる実施形態を概略的に示す図である。
【図３】本発明の更なる実施形態を概略的に示す図である。
【図４】本発明の更なる実施形態を概略的に示す図である。
【発明を実施するための形態】
【００３３】
本発明は、特定の実施形態に関して、或る図面を参照して説明されるが、本発明はこれに限定されず、特許請求の範囲によってのみ限定される。説明される図面は単なる概略であり、非限定的である。図面において、要素のうちの幾つかの大きさは、説明の目的で強調され、一定の縮尺で描かれていない場合がある。
【００３４】
数量が特定されていない名詞を参照するとき、該名詞は、特に別段の指定がない限り、単数及び複数を含む。
【００３５】
さらに、明細書及び特許請求の範囲における第１の、第２の、第３の等の用語は、類似した要素を区別するために用いられ、必ずしも順番又は時系列を説明するために用いられるものではない。このように用いられる用語は、適切な状況下で交換可能であること、及び本明細書において説明される本発明の実施形態は、本明細書に説明されるもの以外の順序で動作可能であることを理解されたい。
【００３６】
本発明による方法は、パイロット信号を用いることによって移動デバイスの位置を求めることを可能にする。更なる実施形態として、パイロット信号は規定の長さの暗号鍵を用いて暗号化することができる。この場合、各移動デバイスは、正確な識別のための特別な識別情報（ＩＤ）を有する。本発明による方法は、屋内で用いることができるのみでなく、屋外で用いることもでき、及び／又は例えばＧＰＳのような既存の全地球測位システムと組み合わせて用いることもできる。本発明の例示的な実施形態が図１に示されている。第１の移動デバイス１００は、パイロット信号１０３を第２の移動デバイス１０１に送出する。第２の移動デバイス１０１は、第１の移動デバイス１００に、受信信号強度に関する情報１０４の報告を返す。第２の移動デバイス１０１は、パイロット信号１０５を第３の移動デバイス１０２に送出し、戻された信号強度に関する情報１０６を受信する。第１の移動デバイス１００は、報告された信号強度に基づいて、例えば複素ベクトル解析を利用して第２の移動デバイス１０１の第２のロケーションを求める。第２の移動デバイス１０１は、報告された信号強度に基づいて、例えば複素ベクトル解析を利用して第３の移動デバイス１０２の第３のロケーションを求める。有利には、これらのロケーションは計算され、手動で測定する必要はない。したがって、有利には、デバイスが動きまわる場合であっても、それらのデバイスをロケーション特定できることが可能である。本発明によれば、第２の移動デバイス１０１は、第３のロケーションに関する情報を第１の移動デバイス１００に送信する。
【００３７】
本発明の更なる例示的な実施形態が図２に示されている。第１の移動デバイス１００は、第２の移動デバイス１０１にパイロット信号１０３を送出する。第２の移動デバイス１０１は、第１の移動デバイス１００に受信信号強度１０４を報告する。第２の移動デバイス１０１は更なるパイロット信号１０５を第３の移動デバイス１０２に送出し、戻された信号強度１０６を受信する。第１の移動デバイス１００は、報告された信号強度に基づいて、例えば複素ベクトル解析を利用して第２の移動デバイス１０１のロケーションを求める。第２の移動デバイス１０１は、報告された信号強度に基づいて、例えば複素ベクトル解析を利用して第３の移動デバイス１０２のロケーションを求める。加えて、第１の移動デバイス１００は、パイロット信号２００を第３の移動デバイス１０２に送出する。第３の移動デバイス１０２は、第１の移動デバイス１００に受信信号強度２０１を報告する。第１の移動デバイス１００は、報告された信号強度に基づいて、例えば複素ベクトル解析を利用して第３の移動デバイス１０２のロケーションを求める。本発明によれば、第２の移動デバイス１０１は、第３のロケーションに関する情報を第１の移動デバイス１００に送信する。
【００３８】
本発明の更なる実施形態が図３に示されている。図３は、本発明による方法を用いることができるエリアの概略図を示している。このエリアは、例えば、この場合、３つのドアによって接続された４つの部屋を有する建物の一フロアである。移動デバイス３００、３０１、３０２、３０３がパイロット信号を送出し、移動クライアント３１０、３１１、３１２、３１３が信号強度を報告する。各移動デバイス３００、３０１、３０２、３０３が移動クライアント３１０、３１１、３１２、３１３のロケーションを求め、例えば、移動デバイス３００はパイロット信号を移動デバイス３１３に送出し、戻された信号強度を受信し、移動デバイス３１３のロケーションを求める。移動デバイス３０１は、移動デバイス３１０等のロケーションを求める。この実施形態によれば、移動デバイス３００は、移動デバイスのロケーションを接続３０６を用いて移動デバイス３０２に通知する。すなわち、移動デバイス３００は移動デバイス３１３のロケーションに関する情報を移動デバイス３０２に送信する。さらに、移動デバイス３００は、接続３０４を用いて移動デバイス３０１に通知し、接続３０５を用いて移動デバイス３０３に通知する。移動デバイス３０１は、移動デバイス３１０のロケーションを、接続３０８を用いて移動デバイス３０３に通知し、接続３０７を用いて移動デバイス３０２に通知し、接続３０４を用いて移動デバイス３００に通知する。移動デバイス３０２及び３０３は、接続３０６、３０７、３０９、３０５、３０８を用いて、互いに、並びに移動デバイス３００及び３０１に通知する。したがって、有利には、例えば壁によって減衰が生じる場合であってもロケーションを正確に求めることが可能である。
【００３９】
本発明の更なる実施形態が図４に示されている。図４は図３のシナリオを示している。図３に示した実施形態の説明及び定義が図４にも適用される。移動デバイス３１２は中央の部屋から右側の部屋に移動した。中央の部屋では、この移動デバイスは移動デバイス３０２によってロケーション特定されていた。右側の部屋では、この移動デバイスは移動デバイス３０３によってロケーション特定される。本発明によれば、移動デバイスが一方の部屋から他方の部屋へ移動する場合であっても、有利には正確なロケーション特定が依然として可能であるように、移動デバイス３０２と移動デバイス３０３との間のハンドオーバが可能である。
【００４０】
更なる実施形態によれば、例えば移動デバイス３００が窓の近くにあり、ＧＰＳロケーション情報を受信するので、移動デバイス３００からの絶対位置が利用可能である。この場合、本発明によれば、有利には、移動デバイス３１３の絶対位置を求め、さらに、接続された移動デバイス３０１、３０２、３０３にロケーション特定情報を送信することが可能である。移動デバイス３００をＧＰＳ受信機に直接結合し（有線又は無線）、ＧＰＳ受信機への正確な距離を用いて移動デバイス３００を構成することも可能である場合がある。
【００４１】
更なる実施形態によれば、達成された精度に起因して、ロケーションに基づくサービス（ＬＢＳ）、例えばショッピングモール内の次の薬局がどこであるかを移動デバイスに提供することができる。
【００４２】
更なる実施形態によれば、特別な遺失物取扱パイロット信号（lost and found pilot signal）を介して移動デバイスを見つけることが可能である。ユーザが移動デバイス３１１をなくした場合、移動デバイス３０２のユーザは、移動デバイス３１１への特別な遺失物取扱パイロット信号を開始することにより、このデバイスの発見を試みる。移動デバイス３１１は、例えば音響信号、発光信号、又は振動信号によって応じる。加えて、距離座標又は相対座標を表示することができる。
【図１】
0005913308.tif 000002
【図２】
0005913308.tif 000003
【図３】
0005913308.tif 000004
【図４】
0005913308.tif 000005